【手続補正書】
【提出日】平成24年1月24日(2012.1.24)
【手続補正１】
【補正対象書類名】特許請求の範囲
【補正対象項目名】全文
【補正方法】変更
【補正の内容】
【特許請求の範囲】
【請求項１】
供給される冷水及び温水の流量及び水温を調節して排出させるバルブカートリッジ（１００）を含む水道バルブ（１０）において、前記バルブカートリッジ（１００）は、冷水及び温水を分離して流入させる分離流入ディスク（１２０）と；
前記分離流入ディスク（１２０）の一側面に積層されて、左右回転操作を通じて冷水及び温水を選択または混合させる選択／混合ディスク（１３０）と；
前記選択／混合ディスク（１３０）の一側面に積層されて、選択／混合ディスク（１３０）で流入される水を排出方向に誘導する排出ディスク（１４０）と；
前記排出ディスク（１４０）の一側面に積層されて、左右回転操作を通じて水の排出を遮断したり、直水経路またはシャワー経路に誘導する遮断／経路選択ディスク（１５０）と；
前記遮断／経路選択ディスク（１５０）の一側面に一側端が締結され、他側端は外部に露出される一方、露出された外周面に流量調節ノブ（１）が締結されて、流量調節ノブ（１）の回転操作によって遮断／経路選択ディスク（１５０）が開放された状態のみで水を直水またはシャワーで排出させる流量調節具（１６０）と；
前記選択／混合ディスク（１３０）の一側面に一側端が締結され、他側端は外部に露出される一方、露出された外周面に水温調節ノブ（２）が締結されて、水温調節ノブ（２）の回転操作によって選択／混合ディスク（１３０）を回転させる水温調節具（１７０）と；
前記排出ディスク（１４０）の一側面に一側端が締結されて密閉空間を形成し、他側端は前記流量調節具（１６０）の一側端部の外周面に密着されて、流量調節具（１６０）の回転角度を制限する遮断ブッシュ（１８０）と；
前記分離流入ディスク（１２０）を収容して回転流動を防止するカートリッジベース（１１０）と；
前記カートリッジベース（１１０）と締結されて、前記水温調節具（１７０）の回転角度を制限するカートリッジハウジング（１９０）と；を含むことを特徴とする水道バルブ。
【請求項２】
前記流量調節ノブ（１）は前記流量調節具（１６０）の外周面に内周面が角をなした状態で嵌められ、前記水温調節ノブ（２）も前記水温調節具（１７０）の外周面に内周面が角をなした状態で嵌められて固定されることを特徴とする請求項１に記載の水道バルブ。
【請求項３】
前記流量調節区間は、前記流入される水を排出方向に誘導する排出ディスク（１４０）と前記排出ディスク（１４０）の一側面に積層されて、左右回転操作を通じて水の排出を遮断したり、直水経路またはシャワー経路に誘導する遮断／経路選択ディスク（１５０）が接する部分であることを特徴とする請求項１に記載の水道バルブ。
【請求項４】
前記バルブカートリッジ（１００）は流量調節具（１６０）と水温調節具（１７０）の端部のみが外部に露出されるように、冷水配管（Ｃ）及び温水配管（Ｈ）が連結されたバルブ本体（１１）の内部に挿入されて固定されることを特徴とする請求項１に記載の水道バルブ。
【請求項５】
前記バルブカートリッジ（１００）の外部に露出される流量調節具（１６０）の端部は排水される水を中央の直水孔（１２ａ）または外郭のシャワー孔（１２ｂ）で排出させる排出口（１２）と連結されることを特徴とする請求項１に記載の水道バルブ。
【請求項６】
前記排出口（１２）の中央は前記流量調節具（１６０）の端部に嵌められ、外周面は前記流量調節ノブ（１）の一側端内径にねじ結合されて固定されることを特徴とする請求項１に記載の水道バルブ。
【請求項７】
前記流量調節ノブ（１）と水温調節ノブ（２）はバルブ本体（１１）と排出口（１２）との間にリング状に設置されることを特徴とする請求項１に記載の水道バルブ。
【請求項８】
前記分離流入ディスク（１２０）は一側面が前記カートリッジベース（１１０）に部分的に収容されて固定される円板状のディスクで、面積の中の１／２部分に円弧状の冷水孔（１２１）及び温水孔（１２２）が対称に設けられることを特徴とする請求項１に記載の水道バルブ。
【請求項９】
前記冷水孔（１２１）及び温水孔（１２２）は１８０度の角度範囲で形成されることを特徴とする請求項８に記載の水道バルブ。
【請求項１０】
前記選択／混合ディスク（１３０）は前記分離流入ディスク（１２０）の一側面に密着される円板状のディスクで、
中央部分に形成される選択孔（１３１）と；
前記選択孔（１３１）から外側方向に延長される９０度の角度を有する円弧状の混合孔（１３２）と；
外周面の両側に複数突出されて溝を形成して前記水温調節具（１７０）の一側端と締結させる突部（１３３）と；を含むことを特徴とする請求項１に記載の水道バルブ。
【請求項１１】
前記排出ディスク（１４０）は前記選択混合ディスク（１３０）の一側面に密着され、左右に流動しないように外周面の一部が前記カートリッジハウジング（１９０）の内周面に嵌められる円板状のディスクで、中央部分に半円状に貫通される排出孔（１４１）を含むことを特徴とする請求項１に記載の水道バルブ。
【請求項１２】
前記遮断／経路選択ディスク（１５０）は前記排出ディスク（１４０）の一側面に密着される円形ブロックで、一側面には前記排出ディスク（１４０）の中央に形成される半円状の排出孔（１４１）と反対方向に９０度の角度を有する円弧状の直水経路誘導孔（１５１）とシャワー経路誘導孔（１５２）が対称に形成され、他側面の外周縁両側の一部に前記流量調節具と締結される嵌込溝（１５３）が形成されることを特徴とする請求項１に記載の水道バルブ。
【請求項１３】
前記直水経路誘導孔（１５１）とシャワー経路誘導孔（１５２）は他側方向では半円状に拡張形成されることを特徴とする請求項１２に記載の水道バルブ。
【請求項１４】
前記流量調節具（１６０）は前記遮断／経路選択ディスク（１５０）の直水経路誘導孔（１５１）とシャワー経路誘導孔（１５２）にそれぞれ対応する直水経路（１６１）とシャワー経路（１６２）が内部に分離されて貫通して形成されたパイプであることを特徴とする請求項１に記載の水道バルブ。
【請求項１５】
前記流量調節具（１６０）は一側端方向の外周面には回転角度の制約を受ける９０度の角度を有するストッパ（１６４）が突出して形成され、前記遮断／経路選択ディスク（１５０）と接する面の外周面に遮断／経路選択ディスク（１５０）との締結のための突片（１６５）が形成され、前記遮断／経路選択ディスク（１５０）と接する面にはパッキング（１６６）が挿入されて構成されることを特徴とする請求項１に記載の水道バルブ。
【請求項１６】
前記直水経路（１６１）は流量調節具（１６０）の一側端から他側端に連通されることを特徴とする請求項１４に記載の水道バルブ。
【請求項１７】
前記シャワー経路（１６２）は流量調節具（１６０）の一側端から他側端に連通されるうち外周面の方向に方向が切り替えてシャワー誘導孔（１６３）を通じて側面に連通されることを特徴とする請求項１４に記載の水道バルブ。
【請求項１８】
前記水温調節具（１７０）は前記カートリッジハウジング（１９０）嵌められて固定される遮断ブッシュ（１８０）によって流量調節具（１６０）と隔離されながら、流量調節具（１６０）と同心軸で結合状態に嵌められ、選択／混合ディスク（１３０）と嵌合されて回転操作されるパイプで、一側端がフランジ形態で外郭方向に延長されて、側面延長片（１７１）を形成し、前記側面延長片（１７１）の端部には前記選択／混合ディスク（１３０）と締結される嵌込突起（１７２）が形成されることを特徴とする請求項１に記載の水道バルブ。
【請求項１９】
前記遮断ブッシュ（１８０）は前記カートリッジハウジング（１９０）の内周面両側にそれぞれ垂直に形成される一対の突片（１９１）に嵌められて流動を防止する固定突起（１８１）が一側端の外周面に形成され、前記排出ディスク（１４０）に嵌合されるように、前記固定突起１８１が形成される一側端部に固定突部（１８２）が形成され、他側端には前記流量調節具（１６０）の回転角度を制限する回転誘導溝（１８３）が形成されることを特徴とする請求項１に記載の水道バルブ。
【請求項２０】
前記回転誘導溝（１８３）は２７０度の角度範囲で形成されることを特徴とする請求項１９に記載の水道バルブ。